(57)【要約】【課題】屋外側スリット材と屋内側スリット材とを正規の位置関係で容易且つ正確に接合でき、よって本来の水平スリット材の機能を発揮させることができると共に、屋外から屋内への雨水の侵入を確実に防止できる水平スリット材及び水平スリット構造を提供する。【解決手段】水平スリット材４を屋外側スリット材５と屋内側スリット材６とから構成し、屋外側スリット材５の上面の屋内側角部に断面直角状をなす隅部５ａを凹設し、この隅部５ａに屋内側スリット材６の下面の屋外側角部６ｂを嵌め込んで接合する。水平スリット３の底面を屋外側の低層面３ａと屋内側の高層面３ｂとからなる段差状に形成し、屋内外方向において屋外側スリット材５の全ての領域及び屋外側スリット材５の隅部５ａに接合された屋内側スリット材６の領域を水平スリット３内の低層面３ａ上に配設すると共に、屋内側スリット材６の残りの領域を水平スリット３内の高層面３ｂ上に配設する。【選択図】図１
2015071934.tif 000002
【特許請求の範囲】
【請求項１】
主構造体と非構造壁との接合部分に沿って形成され且つ底面が屋外側の低層面と屋内側の高層面とからなる段差状をなした水平スリット内に配設される水平スリット材において、
上記水平スリット内の低層面上に配設され、上面の屋内側角部に断面略直角状をなす隅部が凹設された屋外側スリット材と、
上記水平スリット内の高層面上に配設されると共に屋外側に向けて延設され、下面の屋外側角部が上記低層面上に位置して上記屋外側スリット材の隅部に嵌め込まれて接合された屋内側スリット材と
を備えたことを特徴とする水平スリット材。
【請求項２】
主構造体と非構造壁との接合部分に沿って形成された水平スリット内に水平スリット材を配設してなる水平スリット構造において、
上記水平スリット材が屋外側スリット材と屋内側スリット材とから構成され、該屋外側スリット材の上面の屋内側角部に断面略直角状をなす隅部が凹設され、該隅部に上記屋内側スリット材の下面の屋外側角部が嵌め込まれて接合されており、
上記水平スリットの底面が屋外側の低層面と屋内側の高層面とからなる段差状に形成され、屋内外方向において上記水平スリット材の屋外側スリット材の全ての領域及び該屋外側スリット材の隅部に接合された上記屋内側スリット材の領域が上記水平スリット内の低層面上に配設されると共に、該屋内側スリット材の残りの領域が上記水平スリット内の高層面上に配設されたことを特徴とする水平スリット構造。
【請求項３】
主構造体と非構造壁との接合部分に沿って形成され且つ底面が屋外側の低層面と屋内側の高層面とからなる段差状をなした水平スリット内に配設される水平スリット材において、
上記水平スリット内の低層面上に配設される主材、該主材上に接合されて該主材上から屋内側に向けて延設され、該延設部分が上記水平スリットの高層面上に位置する下側副材、及び該下側副材上に接合されて上記水平スリットの低層面上に位置すると共に、該下側副材との間に断面略直角状をなす隅部を形成する上側副材からなる屋外側スリット材と、
上記屋外側スリット材の上記下側副材上に接合されて上記水平スリット内の高層面上に位置すると共に屋外側に向けて延設され、下面の屋外側角部が上記低層面上に位置して上記屋外側スリット材の上記隅部に嵌め込まれて接合された屋内側スリット材と
を備えたことを特徴とする水平スリット材。
【請求項４】
主構造体と非構造壁との接合部分に沿って形成された水平スリット内に水平スリット材を配設してなる水平スリット構造において、
上記水平スリット材が屋外側スリット材と屋内側スリット材とから構成され、上記屋外側スリット材は、主材上に下側副材が接合されて該主材から屋内側に向けて延設され、該下側副材上の屋外側に上側副材が接合されて上記下側副材との間に断面略直角状をなす隅部を形成してなり、上記屋内側スリット材は、上記屋外側スリット材の上記下側副材上に接合されて下面の屋外側角部が上記隅部に嵌め込まれて接合されており、
上記水平スリットの底面が屋外側の低層面と屋内側の高層面とからなる段差状に形成され、屋内外方向において上記水平スリット材の屋外側スリット材を構成する主材及び上側副材の全ての領域、上記下側副材の上記主材と重なる屋外側の領域、及び該屋外側スリット材の隅部に接合された上記屋内側スリット材の領域が上記水平スリット内の低層面上に配設されると共に、該屋内側スリット材の残りの領域及び上記屋外側スリット材の下側副材の残りの屋内側の領域が上記水平スリット内の高層面上に配設されたことを特徴とする水平スリット構造。
【発明の詳細な説明】
【技術分野】
【０００１】
本発明は、コンクリート造建物の外壁の一部を構成する梁などの主構造体と非構造壁との接合部分に配設されるスリット材、及びこれを用いたスリット構造に関する。
【背景技術】
【０００２】
近年、ビルなどのコンクリート造の建造物では、梁や柱などの主構造体と非構造壁との接合部分にスリット材と称される緩衝材を埋設する工法が普及しつつある。この種のスリット材には、柱と非構造壁との接合部分に配設される垂直スリット材、及び梁と非構造壁との接合部分に配設される水平スリット材とがある。これらのスリット材は非構造壁の周囲に適宜配置されて、非構造壁を貫通もしくは所定の壁厚を残すように埋設され、これにより主構造体と非構造壁との接合部分を構造的に分断している。
このような構造スリットを採用した建造物では地震による外力が作用すると、非構造壁の周囲に配設したスリット材により主構造体への外力の伝達を遮断し、建造物の剪断破壊や脆性破壊を回避するようになっている。
【０００３】
コンクリート造建物の外壁の一部を構成するように非構造壁を配設した場合、特に水平スリット材には、屋外からの雨水が室内に侵入するのを防止する対策が必要になる。コンクリートの打設時には水平スリットの屋外側に目地部を設けており、型枠の解体後に目地部に充填されるシーリング材により雨水の侵入が防止される。しかしながら、シーリング材は過酷な自然環境に晒され且つ地震や強風を受けて変形を繰り返すため、破断や剥離を生じてシール機能を損なってしまう場合がある。
その対策として、例えば特許文献１の図９に開示された技術では、水平スリット材を屋外側スリット材と屋内側スリット材とから構成し、屋外側スリット材に対して屋内側スリット材を一段上側に配置した状態でコンクリートを打設している。このような配置により、雨水の侵入経路となる隙間は屋内側に向けて段差状に高くなる断面形状になり、屋外からの雨水が屋内に侵入し難くなる。
【先行技術文献】
【特許文献】
【０００４】
【特許文献１】登録実用新案第３１４２５９１号公報（図９）
【発明の概要】
【発明が解決しようとする課題】
【０００５】
しかしながら、特許文献１の水平スリット材はコンクリート打設時に施工上の問題があった。
図１３は特許文献１の水平スリット材による施工途中のコンクリート造建物を示す断面図である。水平スリット材１０１を施工する際のコンクリートの打設は２回に分けて実施され、その初回には、外型枠１０２に対し目地棒１０３と共に屋外側スリット材１０４を固定した上で、屋外側スリット材１０４の上面までコンクリートが打設される。これにより下層階の梁１０６の部分が形成され、屋外側スリット材１０４上の所定位置に屋内側スリット材１０５を配設した後に２回目のコンクリートの打設が実施され、これにより非構造壁１０７が形成される。なお、図中の１０８はアンカー鉄筋である。
【０００６】
ところが、このような現場の作業では屋内側スリット材１０５を所定位置に正確に配設することが困難なため、屋外側スリット材１０４と屋内側スリット材１０５とを正規の位置関係にできず、本来の水平スリット材１０１の機能が得られない可能性があった。そこで、水平スリット材１０１の製造段階で予め屋外側スリット材１０４と屋内側スリット材１０５とを接合することが考えられるが、両スリット材１０４，１０５は平面同士を接合されることから位置決めの手がかりがない。このため、屋外側スリット材１０４と屋内側スリット材１０５との相対位置を治具により定めるなどの対策が必要となり、製造作業が煩雑になるという別の問題が発生してしまう。
【０００７】
本発明はこのような問題点を解決するためになされたもので、その目的とするところは、屋外側スリット材と屋内側スリット材とを正規の位置関係で容易且つ正確に接合でき、よって本来の水平スリット材の機能を発揮させることができる水平スリット材、及びこの水平スリット材を用いた水平スリット構造を提供することにある。
【課題を解決するための手段】
【０００８】
上記目的を達成するため、請求項１の発明の水平スリット材は、主構造体と非構造壁との接合部分に沿って形成され且つ底面が屋外側の低層面と屋内側の高層面とからなる段差状をなした水平スリット内に配設される水平スリット材において、水平スリット内の低層面上に配設され、上面の屋内側角部に断面略直角状をなす隅部が凹設された屋外側スリット材と、水平スリット内の高層面上に配設されると共に屋外側に向けて延設され、下面の屋外側角部が低層面上に位置して屋外側スリット材の隅部に嵌め込まれて接合された屋内側スリット材とを備えたことを特徴とする。
【０００９】
従って、屋内外方向において、水平スリット材の屋外側スリット材の全ての領域及び屋外側スリット材の隅部に接合された屋内側スリット材の領域が水平スリット内の低層面上に配設され、屋内側スリット材の残りの領域が水平スリット内の高層面上に配設される。
【００１０】
そして、水平スリット材を製造する際には、屋外側スリット材の隅部に屋内側スリット材の下面の屋外側角部を嵌め込むだけで、両スリット材の位置関係が自ずと定まる。よって、治具などを用いた煩雑な製造作業を要することなく、屋外側スリット材と屋内側スリット材とを正規の位置関係で容易且つ正確に接合することができる。
【００１１】
請求項２の発明の水平スリット構造は、主構造体と非構造壁との接合部分に沿って形成された水平スリット内に水平スリット材を配設してなる水平スリット構造において、水平スリット材が屋外側スリット材と屋内側スリット材とから構成され、屋外側スリット材の上面の屋内側角部に断面略直角状をなす隅部が凹設され、隅部に屋内側スリット材の下面の屋外側角部が嵌め込まれて接合されており、水平スリットの底面が屋外側の低層面と屋内側の高層面とからなる段差状に形成され、屋内外方向において水平スリット材の屋外側スリット材の全ての領域及び屋外側スリット材の隅部に接合された屋内側スリット材の領域が水平スリット内の低層面上に配設されると共に、屋内側スリット材の残りの領域が水平スリット内の高層面上に配設されたことを特徴とする。
従って、請求項１の発明の水平スリット材と同様の作用を得ることができる。
【００１２】
請求項３の発明の水平スリット材は、主構造体と非構造壁との接合部分に沿って形成され且つ底面が屋外側の低層面と屋内側の高層面とからなる段差状をなした水平スリット内に配設される水平スリット材において、水平スリット内の低層面上に配設される主材、主材上に接合されて主材上から屋内側に向けて延設され、延設部分が水平スリットの高層面上に位置する下側副材、及び下側副材上に接合されて水平スリットの低層面上に位置すると共に、下側副材との間に断面略直角状をなす隅部を形成する上側副材からなる屋外側スリット材と、屋外側スリット材の下側副材上に接合されて水平スリット内の高層面上に位置すると共に屋外側に向けて延設され、下面の屋外側角部が低層面上に位置して屋外側スリット材の隅部に嵌め込まれて接合された屋内側スリット材とを備えたことを特徴とする。
【００１３】
従って、屋内外方向において、水平スリット材の屋外側スリット材を構成する主材及び上側副材の全ての領域、下側副材の上記主材と重なる屋外側の領域、及び屋外側スリット材の隅部に接合された屋内側スリット材の領域が水平スリット内の低層面上に配設されると共に、屋内側スリット材の残りの領域及び屋外側スリット材の下側副材の残りの屋内側の領域が水平スリット内の高層面上に配設される。
【００１４】
そして、水平スリット材を製造する際には、屋外側スリット材の隅部に屋内側スリット材の下面の屋外側角部を嵌め込むだけで、両スリット材の位置関係が自ずと定まる。よって、治具などを用いた煩雑な製造作業を要することなく、屋外側スリット材と屋内側スリット材とを正規の位置関係で容易且つ正確に接合することができる。
【００１５】
請求項４の発明の水平スリット構造は、主構造体と非構造壁との接合部分に沿って形成された水平スリット内に水平スリット材を配設してなる水平スリット構造において、水平スリット材が屋外側スリット材と屋内側スリット材とから構成され、屋外側スリット材は、主材上に下側副材が接合されて主材から屋内側に向けて延設され、下側副材上の屋外側に上側副材が接合されて下側副材との間に断面略直角状をなす隅部を形成してなり、屋内側スリット材は、屋外側スリット材の下側副材上に接合されて下面の屋外側角部が隅部に嵌め込まれて接合されており、水平スリットの底面が屋外側の低層面と屋内側の高層面とからなる段差状に形成され、屋内外方向において水平スリット材の屋外側スリット材を構成する主材及び上側副材の全ての領域、下側副材の上記主材と重なる屋外側の領域、及び屋外側スリット材の隅部に接合された屋内側スリット材の領域が水平スリット内の低層面上に配設されると共に、屋内側スリット材の残りの領域及び屋外側スリット材の下側副材の残りの屋内側の領域が水平スリット内の高層面上に配設されたことを特徴とする。
従って、請求項３の発明の水平スリット材と同様の作用を得ることができる。
【発明の効果】
【００１６】
以上説明したように本発明の水平スリット材及び水平スリット構造によれば、水平スリット材を製造する際には、屋外側スリット材の隅部に屋内側スリット材の下面の屋外側角部を嵌め込むだけで両スリット材の位置関係が自ずと定まるため、煩雑な製造作業を要することなく両スリット材を正規の位置関係で容易且つ正確に接合でき、もって本来の水平スリット材の機能を十分に発揮させることができる。
【図面の簡単な説明】
【００１７】
【図１】第１実施形態の水平スリット材が施工されたコンクリート造建物を示す断面図である。
【図２】単体の水平スリット材を示す分解斜視図である。
【図３】同じく単体の水平スリット材を示す斜視図である。
【図４】梁の部分のコンクリートを打設した段階の施工手順を示す図である。
【図５】水平スリット材を配置した段階の施工手順を示す図である。
【図６】非構造壁の部分のコンクリートを打設した段階の施工手順を示す図である。
【図７】第２実施形態の水平スリット材が施工されたコンクリート造建物を示す断面図である。
【図８】単体の水平スリット材を示す分解斜視図である。
【図９】同じく単体の水平スリット材を示す斜視図である。
【図１０】第３実施形態の水平スリット材が施工されたコンクリート造建物を示す断面図である。
【図１１】単体の水平スリット材を示す分解斜視図である。
【図１２】同じく単体の水平スリット材を示す斜視図である。
【図１３】特許文献１の水平スリット材による施工途中のコンクリート造建物を示す断面図である。
【発明を実施するための形態】
【００１８】
［第１実施形態］
以下、本発明を具体化した水平スリット材及びこれを用いた水平スリット構造の第１実施形態を説明する。
図１は第１実施形態の水平スリット材が施工されたコンクリート造建物を示す断面図、図２は単体の水平スリット材を示す分解斜視図、図３は同じく単体の水平スリット材を示す斜視図である。
図１に示すように、コンクリート造建物の外壁の一部は下層階の梁１（主構造体）と非構造壁２とから構成され、梁１と非構造壁２との接合部分には水平スリット３が形成されている。この接合部分に沿うように水平スリット３は非構造壁２の下縁全体に亘って延設され、水平スリット３内に水平スリット材４が配設されている。
【００１９】
また、図示はしないが、非構造壁２の両側縁と柱との接合部分にはそれぞれ垂直スリットが形成され、この垂直スリット内には垂直スリット材が配設されている。これらの水平スリット材４及び垂直スリット材により、梁１と非構造壁２との接合部分、及び柱と非構造壁２との接合部分がそれぞれ構造的に分断され、地震による外力が主構造体である梁１や柱に伝達されるのを防止している。
【００２０】
以下に説明するように、水平スリット材４は、屋外側に配設される屋外側スリット材５と屋内側に配設される屋内側スリット材６とから構成されており、これらのスリット材５，６を互いに接合することにより水平スリット材４が構成される。そして、［発明が解決しようとする課題］で述べたように、特許文献１の水平スリット構造では、水平スリット材１０１の製造時にスリット材１０４，１０５の位置決め作業が繁雑である。このような問題点を鑑みて、本実施形態の水平スリット構造では以下に述べる対策を実施している。
【００２１】
まず、水平スリット構造に用いられる水平スリット材４について詳述する。水平スリット材４を構成する屋外側スリット材５及び屋内側スリット材６はそれぞれ断面矩形状をなす長尺物として製作され、図２，３ではその長手方向の一部を示している。水平スリット材４には、地震の際の梁１と非構造壁２との相対変位を許容可能な変形追従性、雨水の侵入防止のための水密性、騒音を遮断するための遮音性などが要求される。
このため、これらの諸特性を満足する素材、例えば独立発泡ポリエチレン材などにより屋外側及び屋内側スリット材５，６がそれぞれ製作されている。また、屋内側スリット材６の屋内外方向の中間箇所にはロックウールなどの不燃材６ａが設けられ、これにより火災時の延焼を防止するための防火性が水平スリット材４に付与されている。
【００２２】
屋外側スリット材５の上面の屋内側角部には、垂直面５ｂ及び水平面５ｃからなる断面直角状をなす隅部５ａが屋外側スリット材５の長手方向全体に亘って凹設されている。屋外側スリット材５の隅部５ａには屋内側スリット材６の下面の屋外側角部６ｂが嵌め込まれ、屋外側角部６ｂを形成する２面が隅部５ａの垂直面５ｂ及び水平面５ｃに当接して接着剤により接合されている。結果として、屋外側スリット材５に対して屋内側スリット材６が屋内側で一段上側に配置された位置関係で、両スリット材５，６が一体化されている。
【００２３】
以上のように構成された水平スリット材４は、以下に手順に従って施工される。
図４は梁１の部分のコンクリートを打設した段階の施工手順を示す図、図５は水平スリット材４を配置した段階の施工手順を示す図、図６は非構造壁２の部分のコンクリートを打設した段階の施工手順を示す図である。
まず、図４に示すように、施工予定の下層階の梁１の上部に沿うように外型枠８に第１の目地棒９を釘などで固定し、第１の目地棒９の上面までコンクリートを打設する。この際には、梁１に沿って所定の間隔でアンカー鉄筋１０を埋設しておく。なお、第１の目地棒９の上下方向の厚みｈ1は、図３に示す水平スリット材４の寸法ｈ2、即ち、屋外側スリット材５の上下方向の厚みから隅部５ａの垂直面５ｂの上下寸法を差し引いた値に設定されている。コンクリートが硬化した後に第１の目地棒９を取り除く。これにより下層階の梁１の部分が形成され、コンクリートの仕上がり面（施工完了後には水平スリット３の底面となる）は、屋外側の低層面３ａと屋内側の高層面３ｂとからなる段差状に形成される。
【００２４】
次いで図５に示すように、各アンカー鉄筋１０により水平スリット材４を上下に貫いた状態で、コンクリートの仕上がり面上に水平スリット材４を配設する。このとき、水平スリット材４の下面に形成されている段差を仕上がり面上の段差に密着させた上で、屋外側スリット材５を低層面３ａ上に載置すると共に、屋内側スリット材６を高層面３ｂ上に載置する。また、低層面３ａ上の屋外側スリット材５の屋外側には第２の目地棒１１を配設する。なお、第２の目地棒１１の上下方向の厚みは、屋外側スリット材５の上下方向の厚みと等しく設定されている。
そして図６に示すように、内型枠１２の設置などを行った後に、２回目のコンクリートの打設を実施する。これにより非構造壁２が形成され、コンクリートの硬化後に外型枠８、内型枠１２、第２の目地棒１１などを取り除いた上で、第２の目地棒１１の箇所にシーリング材１３を充填すると、一連の施工作業が完了する。
【００２５】
以上の施工作業により梁１と非構造壁２との間に水平スリット３が形成され、その水平スリット３内に水平スリット材４が配設される。図３に示すように、水平スリット３の底面は、屋外側の低層面３ａと屋内側の高層面３ｂとからなる段差状に形成されている。そして、屋内外方向において、水平スリット材４の屋外側スリット材５の全ての領域及び屋外側スリット材５の隅部５ａに接合された屋内側スリット材６の領域が水平スリット３内の低層面３ａ上に配設される。また、隅部５ａに接合されていない屋内側スリット材６の残りの領域が水平スリット３内の高層面３ｂ上に配設される。
【００２６】
結果として、屋外側スリット材５の上面と屋内側スリット材６の下面とは、隅部５ａの隙間（より詳しくは、隅部５ａの箇所において屋外側スリット材５と屋内側スリット材６との間に形成された隙間）を介して相対向することになる。本実施形態では、屋外側スリット材５と屋内側スリット材６とを隅部５ａの箇所で接着剤により互いに接合しているため、隅部５ａの隙間が接着剤で封止されている。このため、仮にシーリング材１３のシール機能が損なわれたとしても、屋外側スリット材５の上面と非構造壁２との隙間を介して屋外から侵入した雨水は隅部５ａの箇所で堰き止められ、雨水の屋内への侵入が防止される。
【００２７】
しかも、経年劣化などにより隅部５ａでの接着剤の封止作用が損なわれることもあり得るが、この場合であっても、本実施形態では隅部５ａの断面形状に起因して雨水の通過が抑制される。例えば、図１３に示す特許文献１の技術のように屋外側スリット材１０４と屋内側スリット材１０５とを一平面上で当接させた場合には、その隙間が一直線状の経路となるため雨水が通過し易い。これに対して本実施形態のように隅部５ａを断面直角状とすれば、その隙間も屈曲した経路となるため雨水が通過し難くなる。よって、本実施形態によれば、屋外からの雨水を隅部５ａの箇所で堰き止めることにより、長期間に亘って屋内への雨水の侵入を確実に防止することができる。
【００２８】
そして、このような水平スリット材４に本来の機能（地震による外力の遮断、雨水の侵入防止、騒音の遮断、延焼の防止など）を発揮させるには、屋外側スリット材５と屋内側スリット材６とを正規の位置関係を保った状態で施工することが重要となる。そのためには水平スリット材４を製造する際に、屋外側スリット材５と屋内側スリット材６とを正規の位置関係で接合する必要がある。本実施形態では、屋外側スリット材５の隅部５ａに屋内側スリット材６の下面の屋外側角部６ｂを嵌め込むだけで、両スリット材５，６の位置関係が自ずと定まる。よって、治具などを用いた煩雑な製造作業を要することなく、屋外側スリット材５と屋内側スリット材６とを正規の位置関係で容易且つ正確に接合でき、もって本来の水平スリット材４の機能を十分に発揮させることができる。
【００２９】
［第２実施形態］
次に、本発明を別の水平スリット材及びこれを用いた水平スリット構造に具体化した第２実施形態を説明する。本実施形態の水平スリット材の基本構成は第１実施形態のものと同様であり、相違点は、複数の部材を接合して屋外側及び屋内側スリット材をそれぞれ構成した点にある。そこで、同一構成の箇所は同一部材番号を付して説明を省略し、相違点を重点的に述べる。
【００３０】
図７は第２実施形態の水平スリット材が施工されたコンクリート造建物を示す断面図、図８は単体の水平スリット材を示す分解斜視図、図９は同じく単体の水平スリット材を示す斜視図である。
水平スリット材２１は屋外側スリット材２２及び屋内側スリット材２３から構成され、その全体的な形状は第１実施形態のものと同一である。屋外側スリット材２２は、断面矩形状をなす主材２２ａの屋内側の面に、同じく断面矩形状をなす副材２２ｂを接合して構成されている。上下方向において主材２２ａの長さに比して副材２２ｂの長さは短く設定されると共に、主材２２ａの下面と副材２２ｂの下面とが面一になっている。
【００３１】
結果として主材２２ａの上面と副材２２ｂの上面との間に段差が生じて、屋外側スリット材２２の上面の屋内側角部に断面直角状の隅部２２ｃが形成されている。また、屋内側スリット材２３は、断面矩形状をなす主材２３ａの上下両面に、屋内外方向で同一長さの平板状をなす下側副材２３ｂ及び上側副材２３ｃをそれぞれ接合して構成されている。
なお、本実施形態では、屋外側スリット材２２の主材２２ａの断面寸法を35mm×35mm（上下×屋内外）に設定し、副材２２ｂの断面寸法を25mm×10mm（上下×屋内外）に設定し、屋内側スリット材２３の下側副材２３ｂ及び上側副材２３ｃの板厚を2〜5mmに設定しているが、これに限るものではなく任意に変更可能である。
【００３２】
屋外側スリット材２２の主材２２ａ及び副材２２ｂと、屋内側スリット材２３の下側及び上側副材２３ｂ，２３ｃとはそれぞれ独立発泡ポリエチレン材により製作され、屋内側スリット材２３の主材２３ａはフェノバボード（登録商標）により製作されている。周知のようにフェノバボードは、フェノール樹脂により生成された独立気泡中に高断熱性発砲ガスを保持した構造をなし、高い断熱性を有する。このように形成された屋外側スリット材２２の隅部２２ｃに屋内側スリット材２３の下面の屋外側角部２３ｄが嵌め込まれ、接着剤により接合されることで水平スリット材２１が構成されている。
【００３３】
水平スリット材２１の施工手順については第１実施形態で述べたものと相違ないため、その説明は省略する。施工作業の完了後には、梁１と非構造壁２との間に形成された水平スリット３内に水平スリット材２１が配設される。そして、屋内外方向において、水平スリット材２１の屋外側スリット材２２の全ての領域及び屋外側スリット材２２の隅部２２ｃに接合された屋内側スリット材２３の領域が水平スリット３内の低層面３ａ上に配設される。また、隅部２２ｃに接合されていない屋内側スリット材２３の残りの領域が水平スリット３内の高層面３ｂ上に配設される。
【００３４】
結果として、屋外側スリット材２２の上面と屋内側スリット材２３の下面とが隅部２２ｃの隙間を介して相対向することから、第１実施形態と同じく、屋外からの雨水が隅部２２ｃの箇所で堰き止められ、長期間に亘って屋内への雨水の侵入を防止することができる。
【００３５】
そして、水平スリット材２１の製造時においては、屋外側スリット材２２の隅部２２ｃに屋内側スリット材２３の下面の屋外側角部２３ｄを嵌め込むだけで、両スリット材２２，２３の位置関係が自ずと定まるため、両スリット材２２，２３を正規の位置関係で容易且つ正確に接合でき、もって本来の水平スリット材２１の機能を十分に発揮させることができる。
【００３６】
加えて本実施形態では、屋外側スリット材２２を主材２２ａ及び副材２２ｂにより構成し、これらの主材２２ａと副材２２ｂとの上下方向の寸法差を利用して隅部２２ｃを形成している。従って、主材２２ａ及び副材２２ｂに相当する断面矩形状の素材をそのまま用いて互いに接合するだけで屋外側スリット材２２を製作でき、第１実施形態の屋外側スリット材５のように断面矩形状の素材に隅部５ａを凹設する加工作業が必要なくなることから、製造コストを低減することができる。
【００３７】
［第３実施形態］
次に、本発明を別の水平スリット材及びこれを用いた水平スリット構造に具体化した第３実施形態を説明する。第２実施形態と同じく本実施形態の水平スリット材も、複数の部材を接合して屋外側及び屋内側スリット材をそれぞれ構成しており、同一構成の箇所は同一部材番号を付して説明を省略し、相違点を重点的に述べる。
【００３８】
図１０は第３実施形態の水平スリット材が施工されたコンクリート造建物を示す断面図、図１１は単体の水平スリット材を示す分解斜視図、図１２は同じく単体の水平スリット材を示す斜視図である。
水平スリット材３１は屋外側スリット材３２及び屋内側スリット材３３から構成され、その全体的な形状は第１及び第２実施形態のものと同一である。屋外側スリット材３２は、断面矩形状をなす主材３２ａの上面に平板状の下側副材３２ｂを接合し、さらに下側副材３２ｂの上面に板状の上側副材３２ｃを接合して構成されている。
【００３９】
屋内外方向において下側副材３２ｂの長さは主材３２ａの長さよりも格段に長く設定され、上側副材３２ｃの長さは主材３２ａの長さよりも若干短く設定されると共に、これらの主材３２ａ、下側副材３２ｂ及び上側副材３２ｃの屋外側の端部は屋内外方向で一致している。このため主材３２ａ上から下側副材３２ｂが屋内側に大きく延設されるのに対し、上側副材３２ｃは全体が主材３２ａ上に位置し、下側副材３２ｂと上側副材３２ｃとの間には断面直角状をなす隅部３２ｄが形成されている。以下、屋内外方向において上側副材３２ｃの屋内側の端部から主材３２ａの屋内側の端部までを隅部３２ｄの領域と定義する。
【００４０】
また、屋内側スリット材３３は、断面矩形状をなす主材３３ａの上面に、屋内外方向で同一長さの平板状をなす副材３３ｂを接合して構成されている。
なお、本実施形態では、屋外側スリット材３２の主材３２ａの断面寸法を25mm×45mm（上下×屋内外）に設定し、下側副材３２ｂの板厚を2〜5mmに設定し、上側副材３２ｃの板厚を5〜8mmに設定し、屋内側スリット材３３の副材３３ｂの板厚を2〜5mmに設定しているが、これに限るものではなく任意に変更可能である。
屋外側スリット材３２の主材３２ａ、下側副材３２ｂ及び上側副材３２ｃと、屋内側スリット材３３の副材３３ｂとはそれぞれ独立発泡ポリエチレン材により製作され、屋内側スリット材３３の主材３３ａは高い断熱性を有するフェノバボードにより製作されている。このように形成された屋外側スリット材３２の隅部３２ｄに屋内側スリット材３３の下面の屋外側角部３３ｃが嵌め込まれ、接着剤により接合されることで水平スリット材３１が構成されている。
【００４１】
水平スリット材３１の施工手順については第１実施形態で述べたものと相違なく、施工作業の完了後には。水平スリット３内に水平スリット材３１が配設される。そして、屋内外方向において、水平スリット材３１の屋外側スリット材３２を構成する主材３２ａ及び上側副材３２ｃの全ての領域、下側副材３２ｂの屋外側の領域（主材３２ａと重なった領域）、及び屋外側スリット材３２の隅部３２ｄに接合された屋内側スリット材３３の領域が、水平スリット３内の低層面３ａ上に配設される。また、屋内側スリット材３３の残りの領域及び屋外側スリット材３２の下側副材３２ｂの残りの屋内側の領域（主材３２ａと重ならない領域）が、水平スリット３内の高層面３ｂ上に配設される。
【００４２】
結果として、屋外側スリット材３２の上面と屋内側スリット材３３の下面とが隅部３２ｄの隙間を介して相対向することから、第１実施形態と同じく、屋外からの雨水が隅部３２ｄの箇所で堰き止められ、長期間に亘って屋内への雨水の侵入を防止することができる。
【００４３】
そして、水平スリット材３１の製造時においては、屋外側スリット材３２の隅部３２ｄに屋内側スリット材３３の下面の屋外側角部３３ｃを嵌め込むだけで、両スリット材３２，３３の位置関係が自ずと定まるため、両スリット材３２，３３を正規の位置関係で容易且つ正確に接合でき、もって本来の水平スリット材３１の機能を十分に発揮させることができる。
【００４４】
加えて本実施形態では、屋外側スリット材３２を主材３２ａ、下側副材３２ｂ及び上側副材３２ｃにより構成し、下側副材３２ｂと上側副材３２ｃとの屋内外方向の寸法差を利用して隅部３２ｄを形成している。従って、第２実施形態と同様に、主材３２ａ及び副材３２ｂ，３２ｃに相当する断面矩形状の素材をそのまま用いて互いに接合するだけで屋外側スリット材３２を簡単に製作でき、製造コストを低減することができる。
【００４５】
以上で実施形態の説明を終えるが、本発明の態様はこの実施形態に限定されるものではない。例えば上記実施形態では、非構造壁２と下層階の梁１との接合部分に適用される水平スリット構造に具体化したが、これに限るものではない。例えば、非構造壁２と上層階の梁（主構造体）との接合部分に適用される水平スリット構造に具体化してもよい。
また、上記第２及び第３実施形態では、屋内側スリット材２３，３３の主材２３ａ，３３ａをフェノバボードにより製作したが、これに限るものではなく、例えば炭酸カルシウム系発泡板の一種であるロックセルボード（登録商法）を用いてもよい。
【符号の説明】
【００４６】
１  梁（主構造体）
２  非構造壁
３  水平スリット
３ａ  低層面
３ｂ  高層面
４,２１,３１  水平スリット材
５,２２,３２  屋外側スリット材
５ａ,２２ｃ,３２ｄ  隅部
６,２３,３３  屋内側スリット材
６ｂ,２３ｄ,３３ｃ  屋外側角部
３２ａ  主材
３２ｂ  下側副材
３２ｃ  上側副材
【図１】
2015071934.tif 000003
【図２】
2015071934.tif 000004
【図３】
2015071934.tif 000005
【図４】
2015071934.tif 000006
【図５】
2015071934.tif 000007
【図６】
2015071934.tif 000008
【図７】
2015071934.tif 000009
【図８】
2015071934.tif 000010
【図９】
2015071934.tif 000011
【図１０】
2015071934.tif 000012
【図１１】
2015071934.tif 000013
【図１２】
2015071934.tif 000014
【図１３】
2015071934.tif 000015